(57)【要約】  フォトダイオードから入力電流を受け取り、第１及び第２の差動出力端子において出力電圧を提供するトランスインピーダンス増幅器を備える装置について述べる。受信信号強度インジケータは、少なくとも部分的に、第１及び第２の差動出力端子にわたる電圧に基づき、差動受信信号強度表示（ＲＳＳＩ）信号を生成してもよい。
2007503170.tif 000002
【特許請求の範囲】
【請求項１】
フォトダイオードと、
該フォトダイオードから入力電流を受け取る入力端子と、出力電圧を提供する第１及び第２の差動出力端子とを備えるトランスインピーダンス増幅器と、
少なくとも部分的に前記出力電圧に基づき差動受信信号強度表示（ＲＳＳＩ）信号を生成する受信信号強度インジケータと、
前記出力電圧に応じてシリアルデータ信号を提供するデータ回復回路と、
前記シリアルデータ信号に応じてパラレルデータ信号を提供するデシリアライザと、
を具備するシステム。
【請求項２】
前記パラレルデータ信号を受け取るＳＯＮＥＴフレーマをさらに具備する、請求項１に記載のシステム。
【請求項３】
前記ＳＯＮＥＴフレーマに結合されたスイッチファブリックをさらに具備する、請求項２に記載のシステム。
【請求項４】
媒体独立インタフェースにおいて前記パラレルデータ信号を受け取るイーサネット（登録商標）ＭＡＣをさらに具備する、請求項１に記載のシステム。
【請求項５】
前記イーサネット（登録商標）ＭＡＣに結合された多重化データバスをさらに具備する、請求項４に記載のシステム。
【請求項６】
前記イーサネット（登録商標）ＭＡＣに結合されたスイッチファブリックをさらに具備する、請求項４に記載のシステム。
【請求項７】
前記入力電流は、ＤＣ電流成分とＡＣ電流成分とを含み、前記装置は、少なくとも部分的に前記出力電圧に基づいて前記入力端子から前記ＤＣ信号成分の少なくとも一部を実質的に除去するＤＣオフセットキャンセル回路をさらに具備する、請求項１に記載のシステム。
【請求項８】
前記入力電流は、ＤＣ電流成分とＡＣ電流成分とを含み、前記ＲＳＳＩ信号は、前記ＤＣ電流成分の大きさに実質的に比例する電圧を含む、請求項１に記載のシステム。
【請求項９】
前記装置は、
前記出力電圧に応じて差動電圧信号を提供する少なくとも１つのローパスフィルタと、
前記差動電圧信号に応じて前記差動ＲＳＳＩ信号を生成するバッファ回路と、
をさらに具備する、請求項１に記載のシステム。
【請求項１０】
前記バッファ回路は、前記差動電圧信号に応じて前記差動ＲＳＳＩ信号を生成する差動増幅器を備える、請求項９に記載のシステム。
【請求項１１】
フォトダイオードから入力電流を受け取る入力端子と、出力電圧を提供する第１及び第２の差動出力端子とを備えるトランスインピーダンス増幅器と、
少なくとも部分的に前記出力電圧に基づいて差動受信信号強度表示（ＲＳＳＩ）信号を生成する受信信号強度インジケータと、
を具備する装置。
【請求項１２】
前記入力電流は、ＤＣ電流成分とＡＣ電流成分とを含み、前記装置は、少なくとも部分的に前記出力電圧に基づいて前記入力端子から前記ＤＣ信号成分の少なくとも一部を実質的に除去するＤＣオフセットキャンセル回路をさらに具備する、請求項１１に記載の装置。
【請求項１３】
前記入力電流は、ＤＣ電流成分とＡＣ電流成分とを含み、前記ＲＳＳＩ信号は、前記ＤＣ電流成分の大きさに実質的に比例する電圧を含む、請求項１１に記載の装置。
【請求項１４】
前記出力電圧に応じて差動電圧信号を提供する少なくとも１つのローパスフィルタと、
前記差動電圧信号に応じて前記差動ＲＳＳＩ信号を生成するバッファ回路と、
をさらに具備する、請求項１１に記載の装置。
【請求項１５】
前記バッファ回路は、前記差動電圧信号に応じて前記差動ＲＳＳＩ信号を生成する差動増幅器を備える、請求項１４に記載の装置。
【請求項１６】
トランスインピーダンス増幅器の入力端子においてフォトダイオードから入力電流を受け取ること、
前記入力電流に応じて前記トランスインピーダンス増幅器の第１及び第２の作動出力端子において出力電圧を生成すること、及び
少なくとも部分的に前記出力電圧に基づいて作動受信信号強度表示（ＲＳＳＩ）信号を生成すること
を含む方法。
【請求項１７】
前記入力電流は、ＤＣ電流成分とＡＣ電流成分とを含み、
前記方法は、少なくとも部分的に前記出力電圧に基づいて前記入力端子から前記ＤＣ信号成分の少なくとも一部を実質的に除去することをさらに含む、請求項１６に記載の方法。
【請求項１８】
前記入力電流は、ＤＣ電流成分とＡＣ電流成分とを含み、前記ＲＳＳＩ信号は、前記ＤＣ電流成分の大きさに実質的に比例する電圧を含む、請求項１６に記載の方法。
【請求項１９】
少なくとも１つのローパルフィルタによって前記出力電圧を受け取ること、
前記出力電圧を受け取ることに応じて差動電圧信号を生成すること、
バッファ回路において前記差動電圧信号を受け取ること、及び
前記差動電圧信号に応じて前記バッファ回路において前記差動ＲＳＳＩ信号を生成すること
をさらに含む、請求項１６に記載の方法。
【請求項２０】
前記バッファ回路は、前記差動電圧信号に応じて前記差動ＲＳＳＩ信号を生成する差動増幅器を備える、請求項１９に記載の方法。
【発明の詳細な説明】
【技術分野】
【０００１】
本明細書で開示する主題は、データ通信システムに関する。特に、本明細書で開示する実施の形態は、光伝送媒体から受信したデータを処理することに関する。
【０００２】
本明細書で開示する主題は、２００２年２月１１日に出願された米国特許出願第１０／０７４，０９９号及び同第１０／０７４，３９７号、並びに２００２年１２月２０日に出願された米国特許出願第１０／３２５，０４８号、同第１０／３２５，０２６号、同第１０／３２４，９９９号及び同第１０／３２４，９８３号に関連する。
【背景技術】
【０００３】
ポイント・ツー・ポイント通信を提供するリンクのデータレートを増大させることができる光通信ネットワークが実施されてきた。たとえば、光通信リンクは、通常、同期光ネットワーク／同期デジタルハイアラーキ（ＳＯＮＥＴ／ＳＤＨ）及び１０ギガビットイーサネット（登録商標）システムで実施される。かかる光通信リンクの受信端では、受信側モジュールは、通常、光通信媒体（たとえば光ファイバケーブル）から受信する光信号に応じて電流を生成するフォトダイオードを備える。トランスインピーダンス増幅器（ＴＩＡ）が、通常、フォトダイオードによって生成される電流を電圧信号に変換し、その電圧信号はその後処理される。たとえば、電圧信号を、クロック及びデータ回復回路が処理して、光信号で送信されたデータを回復してもよい。フォトダイオード及びＴＩＡは、通常、別個のコンポーネントで形成され、各コンポーネントには別個の電源が提供される。
【０００４】
受信側モジュールは、受信側フォトダイオードによって検出される光信号の強度を表す受信信号強度インジケータ（ＲＳＳＩ）信号を生成するＲＳＳＩを備える場合もある。かかるＲＳＳＩ信号は、通常、フォトダイオードにおいて光信号の最適な検出を達成するようにフォトダイオードに関して光ファイバを位置合せするために使用される。ＲＳＳＩ信号を生成する回路は、通常、フォトダイオードからの信号を処理するために使用され得るＴＩＡとは無関係にフォトダイオードに直接結合される回路を含む。ＲＳＳＩ信号は、通常、検出された光信号の強度を表す電圧を有するシングルエンド信号出力信号として生成され、シングルエンド出力信号の電圧は、回路トポロジの共通ノード（たとえば接地ノード）を基準とする。
【発明の開示】
【課題を解決するための手段】
【０００５】
本発明の限定しない且つ網羅的でない実施の形態について、以下の図面を参照して説明する。特に指定しない限り、さまざまな図面を通して同様の参照番号は同様の部分を指す。
【発明を実施するための最良の形態】
【０００６】
本明細書を通して「一つの実施の形態」と言う場合、それは、その実施の形態に関連して説明する特定の特徴、構造又は特性が本発明の少なくとも１つの実施の形態に含まれることを意味する。したがって、本明細書を通してさまざまな場所で「一つの実施の形態において」又は「一つの実施の形態」という句が現れる場合、それは、必ずしもすべて同じ実施の形態を指しているとは限らない。さらに、特定の特徴、構造又は特性を１つ又は複数の実施の形態に結合してもよい。
【０００７】
本明細書で言及する「フォトダイオード」は、或る面に収集される光エネルギーに応じて出力電流を提供するデバイスに関する。たとえば、フォトダイオードは、フォトダイオードゲートにおいて収集される電荷に応じて出力電流を提供してもよい。しかしながら、これは単にフォトダイオードの一例であり、本発明の実施の形態はこの点において限定されるものではない。
【０００８】
本明細書で言及する「増幅器」は、入力信号を増幅された出力信号に変換するデバイス又は回路に関する。たとえば、増幅器は、大きさが増幅利得により入力信号の大きさに関連付けられる、増幅された出力信号を提供してもよい。別の例では、増幅器は、大きさが、増幅利得により入力信号として受け取られる電流又は電圧のいずれかの大きさに関連付けられる、電圧信号を生成してもよい。しかしながら、これらは単に増幅器の一例であり、本発明の実施の形態はこれらの点において限定されるものではない。
【０００９】
本明細書で言及する「トランスインピーダンス増幅器」（ＴＩＡ）は、入力電流を出力電圧に変換するデバイスに関する。たとえば、ＴＩＡは、フォトダイオードから受け取った入力電流を、入力電流の大きさに実質的に比例する出力電圧に変換してもよい。しかしながら、これは単にＴＩＡの一例であり、本発明の実施の形態はこれらの点において限定されるものではない。
【００１０】
本明細書で言及する「シングルエンド信号」は、単一導電端子で伝送され得る信号に関する。シングルエンド信号は、大きさが情報によって変調される電流信号を含んでもよい。別法として、シングルエンド信号は、大きさが情報によって変調される電圧信号を含んでもよい。たとえば、シングルエンド信号は、大きさが接地ノード等の回路トポロジにおける共通基準ノードを基準とする電圧信号を伝送してもよい。しかしながら、これらは単にシングルエンド信号の例であり、本発明の実施の形態はこれらの点において限定されるものではない。
【００１１】
本明細書で言及する「差動信号」は、一対の導電端子で伝送され得る信号に関する。差動信号は、大きさが情報によって変調される電圧信号を含んでもよい。たとえば、差動信号は、一対の導電端子にわたる電圧信号（たとえば、一対の導電端子間の電圧差）を含んでもよく、いずれかの端子における電圧が、逆位相において回路トポロジにおける共通基準電圧ノードからずれてもよい。しかしながら、これらは単に差動信号の例であり、本発明の実施の形態はこれらの点において限定されるものではない。
【００１２】
本明細書で言及する「シングルエンド端子」は、シングルエンド信号を受け取り又は送出する電気端子に関する。たとえば、シングルエンド端子は、入力信号として信号を受け取ってもよい。しかしながら、これは単にシングルエンド端子の一例であり、本発明の実施の形態はこの点において限定されるものではない。
【００１３】
本明細書で言及する「差動端子」は、差動信号を受け取り又は送出することができる一対の電気端子に関する。たとえば、差動端子信号は、信号をそれら端子間の電圧差として表してもよい。しかしながら、これは単に差動端子の一例であり、本発明の実施の形態はこの点において限定されるものではない。
【００１４】
本明細書で言及する「ＤＣ信号成分」は、或る期間にわたって実質的に一定である電気信号の信号成分に関する。たとえば、かかるＤＣ信号成分を、その期間にわたって電圧が一定である「ＤＣ電圧成分」であるものとして特徴付けてもよく、又はその期間にわたってＤＣ電流が一定である「ＤＣ電流成分」であるものとして特徴付けてもよい。しかしながら、これらは単にＤＣ信号成分の例であり、本発明の実施の形態はこれらの点において限定されるものではない。
【００１５】
本明細書で言及する「ＡＣ信号成分」は、或る期間にわたって変動する電気信号の信号成分に関する。たとえば、かかるＡＣ信号成分を、その期間にわたって電圧が変動する「ＡＣ電圧成分」であるものとして特徴付けてもよく、又はその期間にわたって電流が変動する「ＡＣ電流成分」であるものとして特徴付けてもよい。しかしながら、これらは単にＡＣ信号成分の例であり、本発明の実施の形態はこれらの点において限定されるものではない。
【００１６】
本明細書で言及する「複合信号」は、複数の信号成分が結合されているものとして特徴付けることができる信号に関する。たとえば、複合信号は、ＤＣ信号成分にＡＣ信号成分が付加された信号を含んでもよい。しかしながら、これは単に複合信号の一例であり、本発明の実施の形態はこの点において限定されるものではない。
【００１７】
本明細書で限定する「ＤＣ信号除去回路」は、複合信号からＤＣ信号成分のすべて又は一部を実質的に除去する回路に関する。たとえば、ＤＣ信号除去回路は、ＤＣ信号成分及びＡＣ信号成分を有する複合信号からＤＣ信号成分のすべて又は一部を実質的に除去してもよく、それによりＡＣ信号成分が隔離される。しかしながら、これは単にＤＣ信号除去回路の一例であり、本発明の実施の形態はこの点において限定されるものではない。
【００１８】
本明細書で言及する「受信信号強度表示（ＲＳＳＩ）信号」は、伝送媒体から受信された信号の強度を表す信号に関する。たとえば、ＲＳＳＩ信号は、光伝送媒体から受信された光信号の１つ又は複数の成分の強度を表してもよい。かかるＲＳＳＩ信号は、電圧又は電流の大きさとして受信信号の強度を表してもよい。しかしながら、これらは単にＲＳＳＩ信号の例であり、本発明の実施の形態はこれらの点において限定されるものではない。
【００１９】
簡単に言うと、本発明の一つの実施の形態は、フォトダイオードから入力電流を受け取るトランスインピーダンス増幅器と、出力電圧を提供する第１及び第２の差動出力端子とを備える装置に関する。受信信号強度インジケータは、少なくとも部分的に、第１及び第２の差動出力端子にわたる電圧に基づき、差動受信信号強度表示（ＲＳＳＩ）信号を生成してもよい。しかしながら、これは、単に一例としての実施の形態であり、本発明の他の実施の形態はこれらの点において限定されるものではない。
【００２０】
図１は、本発明の一つの実施の形態による、光伝送媒体によってデータを送信し且つ光伝送媒体からデータを受信するシステムの概略図を示す。光送受信機１０２は、光ファイバケーブル等の光伝送媒体によって光信号１１０を送信し又は光信号１１２を受信することができる。光送受信機１０２は、たとえば波長分割多重（ＷＤＭ）又は多重振幅信号処理（ＭＡＳ）等の任意の光データ伝送フォーマットに従って、送信信号１１０を変調してもよく、又は受信信号１１２を復調してもよい。たとえば、光送受信機１０２の送信機部分（図示せず）は、光伝送媒体で複数「レーン」のデータを送信するＷＤＭを採用してもよい。
【００２１】
物理媒体依存（ＰＭＤ）部１０４は、受信光信号１１２に応じて光送受信機１０２から電気信号を受け取り且つ調整する、ＴＩＡ（図示せず）及び／又は制限増幅器（ＬＩＡ）（図示せず）等の回路を提供してもよい。ＰＭＤ部分１０４はまた、光信号を送信するためにレーザドライバ回路（図示せず）から光送受信機１０２のレーザデバイス（図示せず）に電力を提供してもよい。物理媒体接続（ＰＭＡ）部１０６は、ＰＭＤ部１０４から受け取る調整された信号からデータを回復するクロック及びデータ回復回路（図示せず）及び逆多重化回路（図示せず）を含んでもよい。ＰＭＡ部１０６はまた、データレーンにおいてデータをＰＭＤ部１０４に送信する多重化回路（図示せず）と、レイヤ２部１０８からのパラレルデータ信号をシリアル化し、クロック及びデータ回復回路によって提供されるシリアルデータ信号に基づいてレイヤ２部１０８にパラレルデータ信号を提供するシリアライザ／デシリアライザ（サーデス（Serdes））とを備えてもよい。
【００２２】
一つの実施の形態によれば、レイヤ２部１０８は、ＩＥＥＥ規格８０２．３ａｅ−２００２の第４６節で定義されているように媒体独立インタフェース（ＭＩＩ）においてＰＭＡ部１０６に結合される媒体アクセス制御（ＭＡＣ）デバイスを備えてもよい。他の実施の形態では、レイヤ２部１０８は、順方向誤り訂正ロジックと、国際電気通信連合（ＩＴＵ）によって発行された同期光ネットワーク／同期デジタルハイアラーキ（ＳＯＮＥＴ／ＳＤＨ）規格のバージョンに従ってデータを送受信するフレーマとを備えてもよい。しかしながら、これらは、単に、光伝送媒体で伝送するパラレルデータ信号を提供することができるレイヤ２デバイスの例であり、本発明の実施の形態はこれらの点において限定されるものではない。
【００２３】
レイヤ２部１０８はまた、処理プラットフォームの他のデバイスと通信するためにいくつかの入出力（Ｉ／Ｏ）システム（図示せず）のうちの任意のものに結合されてもよい。かかるＩ／Ｏシステムには、たとえば、処理システム又はマルチポートスイッチファブリックに結合された多重化データバスが含まれてもよい。レイヤ２部１０８はまた、パケット分類デバイスを介してマルチポートスイッチファブリックに結合されてもよい。しかしながら、これらは、単に、レイヤ２デバイスに結合されてもよいＩ／Ｏシステムの例であり、本発明の実施の形態はこれらの点において限定されるものではない。
【００２４】
レイヤ２デバイス１０８はまた、プリント回路基板のバックプレーンインタフェース（図示せず）によってＰＭＡ部１０６に結合されてもよい。かかるバックプレーンインタフェースは、ＩＥＥＥ規格８０２．３ａｅ−２００２の第４７節において提供されるような１０ギガビットイーサネット（登録商標）アタッチメントユニットインタフェース（ＸＡＵＩ）を提供するデバイスを備えてもよい。他の実施の形態では、かかるバックプレーンインタフェースは、光インターネットワーキングフォーラム（ＯＩＦ）によって定義されるようなシステムパケットインタフェース（ＳＰＩ）のいくつかのバージョンのうちのいずれか１つを備えてもよい。しかしながら、これらは、単に、レイヤ２デバイスをＰＭＡ部に結合するバックプレーンインタフェースの例であり、本発明の実施の形態はこれらの点において限定されるものではない。
【００２５】
図２は、図１に示すシステムの一つの実施の形態により、光伝送媒体によってデータを送信し且つ光伝送媒体からデータを受信するシステム２００の概略図を示す。光送受信機２０２は、光伝送媒体の光信号２１０を送信するレーザデバイス２０８と、光伝送媒体から光信号２１２を受信する光検出器部２１４とを備える。光検出器部２１４は、受信された光信号２１２を、トランスインピーダンス増幅器／制限増幅器（ＴＩＡ／ＬＩＡ）回路２２０に提供される１つ又は複数の電気信号に変換する１つ又は複数のフォトダイオード（図示せず）を備えてもよい。レーザドライバ回路２２２は、ＰＭＡ部２３２からのデータ信号に応じて変調電流２１６を変調してもよい。そして、レーザデバイス２０８は、変調電流２１６に応じて送信される光信号２１０を変調し出力してもよい。
【００２６】
一つの実施の形態によれば、光検出器部２１４は、ＡＣ信号成分及びＤＣ信号成分を含む複合信号をＴＩＡ／ＬＩＡ回路２２０に提供してもよい。たとえば、ＴＩＡ部において受け取られる入力信号は、ＡＣ電流成分とＤＣ電流成分とを含んでもよく、ＬＩＡ部において受け取られる入力は、ＡＣ電圧成分とＤＣ電圧成分とを含んでもよい。
【００２７】
図３は、フォトダイオード３０６において光信号を受け取ることに応じてＲＳＳＩ信号を生成する受信信号強度インジケータ３２２を組み込んだ、図２に示すＰＭＤ部２０４の一つの実施の形態によるＴＩＡ３００の概略図を示す。増幅器３０２は、光データ信号に反応するフォトダイオード３０６からシングルエンド入力３０４を受け取ってもよく、出力端子３１２及び３１４において差動出力電圧を提供する。ＴＩＡ３００を、相補型金属酸化膜半導体（ＣＭＯＳ）製造プロセス等の半導体プロセスにおいて、集積デバイスの一部として（たとえば、ＴＩＡ３００及びＰＭＤ部の他の部分を含む単一デバイスの一部として）形成してもよい。しかしながら、これは単にＴＩＡを形成するために使用してもよいプロセスの一例であり、本発明の実施の形態はこの点において限定されるものではない。
【００２８】
図４は、図３に示す増幅器３０２の一つの実施の形態による増幅器４０２の概略図を示す。第１の増幅段は、トランジスタ４０６を含む。トランジスタ４０６のゲートは、シングルエンド入力端子３０４においてフォトダイオード３０６からシングルエンド入力信号を受け取ってもよい。入力信号に応じて、トランジスタ４０８及び４１０によって形成される差動増幅器を含む第２の増幅段は、差動出力端子４１２及び４１４において出力電圧を提供してもよい。代替の実施の形態では、増幅器４０２は、２００２年２月１１日に出願された米国特許出願第１０／０７４，０９９号において述べられているような多段トポロジを含んでもよい。しかしながら、これらは、単に、ＴＩＡで実施してもよい多段増幅器の例であり、本発明の実施の形態はこれらの点において限定されるものではない。
【００２９】
図３に示すＴＩＡ３００の一つの実施の形態によれば、入力信号３０４は、ＡＣ電流成分とＤＣ電流成分とを含む。出力端子３１２及び３１４は、入力信号３０４の複合ＡＣ・ＤＣ電流成分の大きさを表す電圧を生成してもよい。図示する実施の形態では、出力端子３１２及び３１４からの電圧は、複合ＡＣ・ＤＣ電流成分の大きさに実質的に比例する大きさであってもよい。
【００３０】
増幅器３１６は、非反転入力において出力端子３１２から電圧を受け取り、反転入力において出力端子３１４から電圧を受け取る。ローパスフィルタ（ＬＰＦ）３１８及び３２４は、各々増幅器３１６から出力電圧を受け取ってもよく、ＬＰＦ３１８及び３２４の各々に対する入力は、実質的に出力端子３１２及び３１４間の電圧差の増幅である電圧差を有する。一つの実施の形態によれば、ＬＰＦ３１８及び３２４は、ＤＣ電流成分を表す増幅電圧の部分を隔離するために、ＡＣ電流成分を表す（出力端子３１２及び３１４間の）増幅電圧差の一部を実質的に除去してもよい。ＬＰＦ３１８及び３２４はまた、増幅器３１６が増幅電圧を提供する際に追加する雑音の部分を除去してもよい。ＬＰＦ３１８の出力（ＤＣ電流成分を表す増幅電圧の隔離された部分を含む）をシンクトランジスタ３２０に提供することにより、入力信号３０４からＤＣ電流成分のすべて又は一部を実質的に除去してもよい。
【００３１】
一つの実施の形態によれば、バッファ回路３２６が、入力信号３０４のＤＣ電流成分の大きさを表してもよい差動電圧信号として、ＬＰＦ３１８及び３２４の出力を受け取ってもよい。これに応じて、バッファ回路３２６は、差動端子３２８において差動ＲＳＳＩ信号を生成してもよく、差動ＲＳＳＩ信号は、入力信号３０４のＤＣ電流成分の強度を表す電圧を含む。ＲＳＳＩ信号を差動信号として提供することにより、シングルエンド出力信号としてＲＳＳＩ信号を提供する設計に比べて多くの雑音源を無くすことができる。かかる雑音源には、たとえば、電源、ボンドワイヤ及びオンチップ電力線の寄生成分、シングルエンドＲＳＳＩ信号を生成するシングルエンド出力端子と基準ノード（たとえば接地）との間の任意の回路ノードにおいてもたらされる可能性のある、デバイスにおけるインピーダンスミスマッチ及び変動があり得る。一方、図３を参照して例示した実施の形態では、多段増幅器３０２、増幅器３１６又はＬＰＦ３１８が、差動出力端子３２８のいずれかにおいて電圧に雑音をもたらす可能性がある範囲で、これらの雑音源は、差動出力端子３２８の各々において提供される個々の信号に等しく影響を与える可能性がある。したがって、結果としての差動ＲＳＳＩ信号は、これらの雑音源の影響を実質的にキャンセルすることができる。
【００３２】
シングルエンド信号からＲＳＳＩを生成するには、通常、ＴＩＡとフォトダイオードとの両方に対し別々の電源を使用する必要があり、それにより、各電源に対し別々の雑音源がもたらされる。目下例示する実施の形態におけるように、ＴＩＡ３００の差動出力信号に基づいてＲＳＳＩ信号を生成することにより、フォトダイオード３０６とＴＩＡ３００との両方に電力を供給するべく、単一の共通電源３３０を使用することができる。したがって、差動出力信号の各端子における相関雑音をキャンセルすることができる。
【００３３】
図５は、図３のバッファ回路３２６の一つの実施の形態による差動ＲＳＳＩ信号を生成するバッファ回路の概略図を示す。差動増幅器回路５００は、差動入力端子５０２及び５０４において差動入力信号を受け取ってもよい。たとえば、ＬＰＦ３１８及び３２４の各々の出力を、差動入力端子５０２及び５０４の対応するものに与えてもよい。差動入力信号に、応じて、差動増幅器回路５００は、差動出力端子５０６及び５０８において差動ＲＳＳＩ信号を生成してもよい。
【００３４】
図６は、図３に示すＬＰＦ３１８又は３２４の一つの実施の形態によるＬＰＦの回路の概略図を示す。ＬＰＦ３１８又は３２４は、図５に示すような抵抗器７１０及びコンデンサ７１２を使用して形成される任意のＬＰＦであってもよい。しかしながら、これは、単に、ＬＰＦを回路においていかに形成し得るかの一例であり、本発明の実施の形態はこれらの点において限定されるものではない。
【００３５】
本発明の例としての実施の形態であると目下考えられることを例示し説明したが、当業者には、本発明の真の範囲から逸脱することなく、さまざまな他の変更を行ってもよく、等価物を代わりに用いてもよい、ということが理解されよう。さらに、本明細書で説明した主要な発明の概念から逸脱することなく本発明の教示に対し特定の状況を適合させるために多くの変更を行ってもよい。したがって、本発明は、開示した特定の実施の形態に限定されず、本発明は、添付の特許請求の範囲内にあるすべての実施の形態を含むことが意図されている。
【図面の簡単な説明】
【００３６】
【図１】本発明の一つの実施の形態による光伝送媒体でデータを送信し且つ光伝送媒体からデータを受信するシステムの概略図である。
【図２】図１に示すシステムの一つの実施の形態によるデータ伝送システムの物理媒体接続（ＰＭＡ）部及び物理媒体依存（ＰＭＤ）部の概略図である。
【図３】図２に示すＰＭＤ部の一つの実施の形態による受信信号強度表示信号を生成するシステムの概略図である。
【図４】図３のいずれかに示すトランスインピーダンス増幅器の一つの実施の形態による多段増幅器の概略図である。
【図５】図３に示すトランスインピーダンス増幅器の一つの実施の形態による差動受信信号強度インジケータ信号を生成するバッファ回路の概略図である。
【図６】図３に示すトランスインピーダンス増幅器の一つの実施の形態によるローパスフィルタの概略図である。
【図１】
2007503170.tif 000003
【図２】
2007503170.tif 000004
【図３】
2007503170.tif 000005
【図４】
2007503170.tif 000006
【図５】
2007503170.tif 000007
【図６】
2007503170.tif 000008
【国際調査報告】
2007503170.tif 000009
2007503170.tif 000010
2007503170.tif 000011